(57)【特許請求の範囲】
【請求項１】
柱とクレーン用支柱の間に介在し、柱と該支柱を固定する当て板部材と、ジャッキ保持当て板部材を介在して柱に取り付けるジャッキと、ジャッキに当てたジャッキ当て板部材に掛けたベルトからなり、ベルトを当て板部材に設けたピン固定部材に固定し、ベルトをジャッキアップまたはジャッキダウンして柱にクレーン用支柱を取り付け、または、取り外すことを特徴とする柱取付用小型クレーンの取付治具。
【請求項２】
請求項１において、当て板部材またはクレーン用支柱に結合部材をそれぞれ一体的に形成し、クレーン用支柱と当て板部材を結合することを特徴とする柱取付用小型クレーンの取付治具。
【発明の詳細な説明】
【０００１】
【発明の属する技術分野】
本発明は、強度がない架構等の柱に小型クレーンを取り付ける柱取付用小型クレーンの取付治具に関する。
【０００２】
【従来の技術】
従来、プラント建設、建物建設等において、架構等の柱に小型クレーンを取り付け、荷吊りするだけの強度がない場合、この柱にクレーン用支柱を固定し、小型クレーンをクレーン用支柱によって支持し、機器、配管等の資材の搬入、据付を行っている。
この種の技術は、特開平７−１３７９８８号公報に記載され、小型クレーン取付装置として利用されている。図４にその装置の概要を示す。該装置は、小型クレーンを取り付け、荷吊りするだけの強度がない架構等の柱１０にクレーン用支柱４０を取付けバンド５０とあて板６０によって固定し、クレーン用支柱４０によって制御盤３０と小型クレーン２０を支持する構造であり、この場合、取付けバンド５０の先端はボルトになっており、当て板６０をナットにより締め付けることにより、クレーン用支柱４０を固定する。
【０００３】
【発明が解決しようとする課題】
しかし、従来の技術は、架構等の柱にクレーン用支柱を固定するに当って、ボルトとナットを使用するため、複数個のナットを締め付けなければならない。このようなボルトナットによる固定方法は、その着脱に労力と時間を要し、クレーン用支柱を架構等の柱に能率的かつ効率的に取り付け、取り外すことができない、という問題がある。
【０００４】
本発明の課題は、クレーン用支柱を架構等の柱に能率的かつ効率的に取り付け、取り外すに好適な柱取付用小型クレーンの取付治具を提供することにある。
【０００５】
【課題を解決するための手段】
上記課題は、柱とクレーン用支柱の間に介在し、柱と該支柱を固定する当て板部材と、ジャッキ保持当て板部材を介在して柱に取り付けるジャッキと、ジャッキに当てたジャッキ当て板部材に掛けたベルトからなり、ベルトを当て板部材に設けたピン固定部材に固定し、ベルトをジャッキアップまたはジャッキダウンして柱にクレーン用支柱を取り付け、または、取り外すことによって解決される。ここで、当て板部材またはクレーン用支柱に結合部材をそれぞれ一体的に形成し、クレーン用支柱と当て板部材を結合する。
【０００６】
【発明の実施の形態】
以下、本発明の実施形態を図面を用いて説明する。
図１は、本発明の一実施形態である柱取付用小型クレーンの取付治具を示す。図１において、１は小型クレーンを取り付け荷吊りするだけの強度がない架構等の柱、２は小型クレーン、３は小型クレーン２並びに吊り荷の重量を支持するクレーン用支柱、４は小型クレーン２を駆動制御する剛体とした制御盤、５は小型クレーン２と一体化したクレーン用台座を示す。クレーン用支柱３は、必要とする本数を継ぎ合わせて形成し、制御盤４は、クレーン用支柱３に固定する。また、クレーン用支柱３には、クレーン用台座５を据え付け、小型クレーン２を支持する。
小型クレーンの取付治具は、上部支持部と下部支持部からなり、それぞれ柱１とクレーン用支柱３の間に介在する当て板部材６、当て板部材６と一体化したピン固定部材７、ジャッキ８、柱１とジャッキ８の間に介在するジャッキ保持当て板部材９、ジャッキ当て板部材１０、ピン固定部材７とジャッキ８を接続するベルト（鋼帯）１１、当て板部材６と一体化した下部結合部材１２、クレーン用支柱３と一体化した上部結合部材１３から構成する。
【０００７】
図２は、小型クレーン取付治具の下部支持部を示し、図２（ａ）は図１のＡ−Ａからみた断面図であり、図２（ｂ）は図２（ａ）の側面図、図３は図２（ａ）のピン固定部材７の拡大図である。
下部結合部材１２は、図２（ａ）のように、クレーン用支柱３の円形に合わせて中央部分を円形状に穴をあけた薄板状の部材であり、当て板部材６と一体的に形成する。ピン固定部材７は、図３のように、ベルト１１をピン止めする構造であり、図２（ａ）のように、ベルト１１のそれぞれの端を当て板部材６の両端に設けたピンで支える。ジャッキ８は、ジャッキ保持当て板部材９とジャッキ当て板部材１０の間に設け、ベルト１１をジャッキ当て板部材１０に掛ける。なお、図示しないが、ジャッキ当て板部材１０には、ジャッキ８の横ずれおよび脱落を防止するため、ベルト１１のガイドを設ける。
【０００８】
次に、小型クレーン取付治具の下部支持部の組立てについて説明する。まず、下部のクレーン用支柱３に下部結合部材１２を嵌め込み、当て板部材６を固定する。続いて、当て板部材６を柱１に当てがい、クレーン用支柱３を柱１の側面に付ける。一方、ジャッキ保持当て板部材９を柱１に当てがい、ジャッキ８をジャッキ保持当て板部材９に固定し、続いて、ジャッキ８にジャッキ当て板部材１０を当てがうとともに、ジャッキ当て板部材１０にベルト１１を掛け、ベルト１１のそれぞれの端をピン固定部材７のピンに止める。この場合、ジャッキ８は小型クレーン２の反対側にある。このような状態でジャッキ８をジャッキアップすると、ジャッキ８は、ベルト１１を延ばし、クレーン用支柱３を柱１に締め付ける。このようにして、クレーン用支柱３は、当て板部材６の幅に相当する間隙をもって柱１に取り付けられる。
一方、ジャッキ８をジャッキダウンすると、ベルト１１が弛み、下部支持部のの取付治具を解体して、柱１からクレーン用支柱３を取り外すことができる。
ここで、当て板部材６の幅に相当する間隙は、クレーン用支柱３をフランジ結合する場合、フランジ３−１の径がクレーン用支柱３の本体より大きいことにより、また、クレーン用台座５がクレーン用支柱３の径より大きいとき等、いずれもクレーン用支柱３を柱１に密着させることができないとき、必要とする空間である。
【０００９】
次に、小型クレーン取付治具の上部支持部は、当て板部材６が下部結合部材１２のような薄板状の部材を有せず、上部結合部材１３をクレーン用支柱３に固着する点で下部支持部と異なり、その他は下部支持部の取付治具と同一構成である。上部結合部材１３は、図１のように、制御盤４の反対側に設ける。当て板部材６と上部結合部材１３は、ボルトナットによって結合する。または、当て板部材６と上部結合部材１３を一体成形してもよい。
上部支持部の組立ては、当て板部材６と上部結合部材１３をボルトナットによって結合した後、また、当て板部材６と上部結合部材１３が一体成形されている場合、ベルト１１を当て板部材６のピン固定部材７に支えた後は、下部支持部の組立てと同じである。
【００１０】
このようにして、本実施形態では、ジャッキのジャッキアップによってベルトを締め付け、これによって、架構等の柱にクレーン用支柱を簡単に取り付けることができる。勿論、ジャッキのジャッキダウンによってベルトを弛め、架構等の柱からクレーン用支柱を簡単に取り外すこともできる。
【００１１】
なお、本実施形態では、下部支持部は、その下部結合部材１２を当て板部材６と一体化するとしたが、下部結合部材１２に替えて上部結合部材１３を用い、上部支持部の取付治具と全く同一構成でもよい。
また、本実施形態では、上部支持部は、上部結合部材１３を制御盤４の反対側に設けるが、制御盤４を設置する場所と異なるクレーン用支柱の位置に上部支持部を設けるときは、下部支持部の取付治具と全く同一構成でよいことは云うまでもない。
【００１２】
【発明の効果】
以上説明したように、本発明によれば、ジャッキのジャッキアップによってベルト（鋼帯）を締め付け、架構等の柱にクレーン用支柱を取り付け、また、ジャッキのジャッキダウンによってベルト（鋼帯）を弛め、架構等の柱からクレーン用支柱を取り外すので、ボルトナットによる固定に比し、その着脱に要する労力と時間を節約することができ、また、構成治具をより簡素化することができ、ひいては、クレーン用支柱を架構等の柱に能率的かつ効率的に取り付け、取り外すことが可能である。
また、本発明によれば、架構等の柱とクレーン用支柱に空間を形成するので、クレーン用支柱の結合フランジやクレーン用台座の径がクレーン用支柱本体より大きい場合等に、安定したクレーン用支柱の取り付けが可能である。
【図面の簡単な説明】
【図１】本発明の一実施形態である柱取付用小型クレーンの取付治具の構成図
【図２】（ａ）は図１のＡ−Ａからみた断面図、（ｂ）は（ａ）の側面図
【図３】図２（ａ）のピン固定部材の拡大図
【図４】従来例
【符号の説明】
１  架構等の柱
２  小型クレーン
３  クレーン用支柱
４  制御盤
５  クレーン用台座
６  当て板部材
７  ピン固定部材
８  ジャッキ
９  ジャッキ保持当て板部材
１０  ジャッキ当て板部材
１１  ベルト（鋼帯）
１２  下部結合部材
１３  上部結合部材
【図１】
0003590852.tif 000002
【図２】
0003590852.tif 000003
【図３】
0003590852.tif 000004
【図４】
0003590852.tif 000005